(57)【要約】【課題】リモートコントローラ４０が操作不能状態となっても，リモートコントローラ４０で行うことが出来る操作の全部分或いは所望の部分を可能とすること。【解決手段】本体ボタンと，リモコン受光部と，マイクロコンピュータを有するデジタルＡＶ機器であって，マイクロコンピュータは，リモコン受光部を介して，リモートコントローラの電源ボタンが押されたことを認識した時システムプログラムを起動し，リモートコントローラのメニューボタンが押されたことを認識した時は，メニュー表示プログラムを起動し，本体ボタンのメニューボタンが押されたことを認識した時は，ＡＶ機能表示プログラムを起動し，メニュー表示情報及び／或いはＡＶ機能表示を表示装置のオン・スクリーン・ディスプレイＯＳＤに出力する。【選択図】    図１
2004207872.tif 000002
【特許請求の範囲】
【請求項１】
本体ボタンと，リモコン受光部と，マイクロコンピュータを有するデジタルＡＶ機器であって，マイクロコンピュータは，
リモコン受光部を介して，リモートコントローラの電源ボタンが押されたことを認識した時システムプログラムを起動し，リモートコントローラのメニューボタンが押されたことを認識した時は，メニュー表示プログラムを起動し，
本体ボタンのメニューボタンが押されたことを認識した時は，ＡＶ機能表示プログラムを起動し，
メニュー表示情報及び／或いはＡＶ機能表示を表示装置のオン・スクリーン・ディスプレイＯＳＤに出力する，
ことを特徴とするデジタルＡＶ機器。
【請求項２】
本体ボタンと，リモコン受光部と，マイクロコンピュータを有するデジタルＡＶ機器であって，マイクロコンピュータは，
本体ボタンの電源ボタンが押されたことを認識した時システムプログラムを起動し，続いて切替プログラム及び本体ボタン表示プログラムを起動し，
本体ボタンの一部ボタンをＡＶ機能操作用に切替えると共に，ＡＶ機能操作用に表示を替えた本体ボタン表示情報を表示装置のオン・スクリーン・ディスプレイＯＳＤに出力する，
ことを特徴とするデジタルＡＶ機器。
【請求項３】
請求項２に記載されたデジタルＡＶ機器において，
マイクロコンピュータは，
本体ボタンのメニューボタンが押されたことを認識した時は，切替プログラム及び本体ボタン表示プログラムを終了させた後，メニュー表示プログラム及びリモートコントローラ表示プログラムを起動し，
メニュー表示情報及びリモートコントローラ表示情報を表示装置のオン・スクリーン・ディスプレイＯＳＤに出力する，
ことを特徴とするデジタルＡＶ機器。
【請求項４】
請求項３に記載されたデジタルＡＶ機器において，
マイクロコンピュータは，
リモートコントローラ表示プログラムが起動している時に，リモコン受光部を介して，リモートコントローラのメニューボタンが押されたことを認識した時は，リモートコントローラ表示プログラムを終了させる，
ことを特徴とするデジタルＡＶ機器。
【請求項５】
請求項１記載の構成事項と，請求項２又は請求項３又は請求項４記載の構成事項を組み合わせて成るデジタルＡＶ機器。
【発明の詳細な説明】
【０００１】
【発明の属する技術分野】
本発明は，デジタルＡＶ機器に関し，特に機器本体の操作性を改良したデジタルＡＶ機器に関する。
【０００２】
【従来の技術】
従来から，デジタル放送受信機や，ハードディスクＨＤ又はＤＶＤ内蔵のデジタル録画機器等に代表されるデジタルＡＶ機器が知られている。このデジタルＡＶ機器１０は，図１に示すように，本体ボタン１１と，リモコン受光部１２と，マイクロコンピュータ１３から構成されており，表示装置２０と，アンテナ３０と，リモートコントローラ４０を備えている。
【０００３】
デジタルＡＶ機器１０のマイクロコンピュータ１３は，リモートコントローラ４０から発せられる各操作ボタンの識別コード，及び本体ボタン１１から発せられる各操作ボタンの識別コードを解析して識別するものであり，各操作ボタンを検出してデジタルＡＶ機器１０全体の処理を担うものである。又，本体ボタン１１には，機器本体を起動するための電源ボタン，カーソル移動のための上下左右ボタン，及び操作確定のための決定ボタン，メニューを表示するためのメニューボタン等が設けられている。
【０００４】
表示装置２０は，デジタルＡＶ機器１０の映像出力を表示すると共に，リモートコントローラ４０による機器本体の操作に使用するオン・スクリーン・ディスプレイ（以下，「ＯＳＤ」と略称する）２１を表示するものである。
【０００５】
ところで，近年のデジタルＡＶ機器の多機能化，複雑化に伴って，機器本体の操作は，ボタン数の物理的制約等もあり，機器本体上の操作ボタン１１よりも，むしろリモートコントローラ４０上の多数の操作ボタンによって行うものがほとんどである。
【０００６】
例えば，図１に示すように，リモートコントローラ４０に，機器本体を起動するための電源ボタン，表示装置２０のＯＳＤ２１に機器本体の基本操作の導入となるメニューＯＳＤ２１ａ（図２参照）等を表示するよう指令を出力するためのメニューボタン，録画ボタン，再生ボタン，停止ボタン，デジタルＡＶ機器１０に必要なカラーボタン４種（青，赤，緑，黄），ＯＳＤ２１上のカーソル移動のための上下左右ボタン，及び操作確定のための決定ボタンを有するものがある。なお，リモートコントローラ４０の操作ボタンは，説明の都合上基本的な操作に必要な操作ボタンに限定したが，実際には，当該デジタルＡＶ機器１０の種類・機能に応じて適切な操作ボタンを追加し設ける。
【０００７】
以上述べた従来例の，ＯＳＤ２１を用いたリモートコントローラ４０による機器本体の操作において，ＯＳＤ２１上に機器本体の操作を表示し説明することにより，多数のリモコンボタンによる操作の補助を行い，操作性の向上を図っているものが知られている（例えば，特許文献１参照）。
【０００８】
【特許文献１】
特開平９−１３０６９５号公報
【０００９】
【発明が解決しようとする課題】
しかしながら，前述した従来例のように，リモートコントローラ４０に機器本体の大部分の操作を依存することは，以下のような不都合がある。例えば，リモートコントローラ４０の故障や紛失，或いはリモートコントローラ４０の電池切れ等で，リモートコントローラ４０を用いた操作が不能状態になった場合には，本体ボタン１１のみで機器本体の操作を行わなければならない。しかし，ボタン数に制約がある本体ボタン１１のみでは，リモートコントローラ４０で行うことが出来る操作の一部分しか行えず，他の大部分の操作が行えないという問題があった。
【００１０】
本発明は，前述した問題を解決するためになされたものであり，リモートコントローラ４０が操作不能状態となっても，リモートコントローラ４０で行うことが出来る操作の全部分或いは所望の部分を可能とすることを目的とする。
【００１１】
【課題を解決するための手段】
前述した課題を解決するために、
請求項１の記載に係る発明では、
本体ボタンと，リモコン受光部と，マイクロコンピュータを有するデジタルＡＶ機器であって，マイクロコンピュータは，
リモコン受光部を介して，リモートコントローラの電源ボタンが押されたことを認識した時システムプログラムを起動し，リモートコントローラのメニューボタンが押されたことを認識した時は，メニュー表示プログラムを起動し，
本体ボタンのメニューボタンが押されたことを認識した時は，ＡＶ機能表示プログラムを起動し，
メニュー表示情報及び／或いはＡＶ機能表示を表示装置のオン・スクリーン・ディスプレイＯＳＤに出力する，
ことを特徴とする。
【００１２】
請求項２の記載に係る発明では、
本体ボタンと，リモコン受光部と，マイクロコンピュータを有するデジタルＡＶ機器であって，マイクロコンピュータは，
本体ボタンの電源ボタンが押されたことを認識した時システムプログラムを起動し，続いて切替プログラム及び本体ボタン表示プログラムを起動し，
本体ボタンの一部ボタンをＡＶ機能操作用に切替えると共に，ＡＶ機能操作用に表示を替えた本体ボタン表示情報を表示装置のオン・スクリーン・ディスプレイＯＳＤに出力する，
ことを特徴とする。
【００１３】
請求項３の記載に係る発明では、
請求項２に記載されたデジタルＡＶ機器において，
マイクロコンピュータは，
本体ボタンのメニューボタンが押されたことを認識した時は，切替プログラム及び本体ボタン表示プログラムを終了させた後，メニュー表示プログラム及びリモートコントローラ表示プログラムを起動し，
メニュー表示情報及びリモートコントローラ表示情報を表示装置のオン・スクリーン・ディスプレイＯＳＤに出力する，
ことを特徴とする。
【００１４】
請求項４の記載に係る発明では、
請求項３に記載されたデジタルＡＶ機器において，
マイクロコンピュータは，
リモートコントローラ表示プログラムが起動している時に，リモコン受光部を介して，リモートコントローラのメニューボタンが押されたことを認識した時は，リモートコントローラ表示プログラムを終了させる，
ことを特徴とする。
【００１５】
請求項５の記載に係る発明では、
請求項１記載の構成事項と，請求項２又は請求項３又は請求項４記載の構成事項を組み合わせて成るデジタルＡＶ機器であることを特徴とする。
【００１６】
【発明の実施の形態】
本発明のデジタルＡＶ機器について，図１〜図５を用いて説明する。図１はデジタル放送受信機等のデジタルＡＶ機器１０とそのシステムの構成を，図２はリモートコントローラ４０のメニューボタンを操作した時のＯＳＤ２１の表示例を，図３は通常操作時に本体ボタン１１のメニューボタンを操作した時のＯＳＤ２１の表示例を，図４は本体ボタン１１の電源ボタンを押してシステムプログラムを起動した場合のＯＳＤ２１の表示例を，図５は本体ボタン１１の電源ボタンとメニューボタンを押した場合のＯＳＤ２１の表示例を，それぞれ示す図である。なお，以下の説明では，ハードディスクＨＤをデジタル記録メディアとして内蔵し，デジタル放送としてＢＳデジタル放送を受信するデジタル放送受信機を実施例としているが，本発明のデジタルＡＶ機器がデジタル放送受信機に限られることを意味するもので無いことはいうまでもない。
【００１７】
図１において，本発明のデジタル放送受信機１０は，従来の技術の欄で説明したともの同様に，本体ボタン１１と，リモコン受光部１２と，マイクロコンピュータ１３から構成される。従来例と異なるのは，マイクロコンピュータ１３の内容である。
【００１８】
マイクロコンピュータ１３の内容は，以下図２〜図５を用いて詳細に説明する。
【００１９】
図２は，リモートコントローラ４０のメニューボタンを用いた通常操作時のＯＳＤ２１の表示例を示しており，メニューＡ〜メニューＩから成るメニューＯＳＤ２１ａが表示されている。ここでいう通常操作とは，リモートコントローラ４０のメニューボタンを用いて，メニューＯＳＤ２１ａを表示するためのメニュー表示プログラムを起動する場合の操作である。
【００２０】
マイクロコンピュータ１３は，リモコン受光部１２を介して，リモートコントローラ４０のメニューボタンが押されたことを認識すると，メニュー表示プログラムを起動して，表示部２０にメニューＯＳＤ２１ａを表示する。
【００２１】
図３は，通常操作時において，更に，デジタル放送受信機１０の本体ボタン１１のメニューボタンを操作した時のＯＳＤ２１の表示例を示しており，図２のメニューＯＳＤ２１ａに加えて，リモートコントローラ４０上にある操作ボタンである，例えば，録画ボタン，再生ボタン，停止ボタンと，デジタル放送受信機１０に必要なカラーボタン４種（青，赤，緑，黄）から成るＡＶ機能ＯＳＤ２１ｂが表示されている。
【００２２】
マイクロコンピュータ１３は，図２の場合と同様に，リモコン受光部１２を介して，リモートコントローラ４０のメニューボタンが押されたことを認識すると，メニュー表示プログラムを起動して，表示部２０にメニューＯＳＤ２１ａを表示する。この通常操作時において，更に，デジタル放送受信機１０の本体ボタン１１のメニューボタンが押されたことを認識すると，マイクロコンピュータ１３は，ＡＶ機能ＯＳＤ２１ｂを表示するためのＡＶ機能表示プログラムを起動して，表示部２０にＡＶ機能ＯＳＤ２１ｂを追加して表示する。
【００２３】
表示部２０に表示された図３に示すＯＳＤ２１を使用し，本体ボタン１１の上下左右ボタンでカーソル移動を行い，本体ボタン１１の決定ボタンで確定することで，デジタルＡＶデータの録画，再生，停止の動作や，カラーボタン４種の操作が本体ボタン１１だけで実行することが出来るようになる。
【００２４】
この実施例では，例えばデジタル放送受信機１０のシステムの動作中に，リモートコントローラ４０の電池切れ等で操作不能となった場合に，本体ボタン１１を用いた操作が可能となる。
【００２５】
図４は，本体ボタン１１の電源ボタンを押してシステムプログラムを起動した場合のＯＳＤ２１の表示例を示す図である。
【００２６】
最初からリモートコントローラ４０が操作不能である場合に，本体ボタン１１の電源ボタンを押すと，マイクロコンピュータ１３は，システムプログラムを起動してデジタル放送受信機１０を動作状態にする。続いて，本体ボタン１１の上下左右ボタンの，上ボタンを録画操作用に，下ボタンを停止操作用に切替えるための切替プログラム，及び図４に示す本体ボタンＯＳＤ２１ｃを表示するための本体ボタン表示プログラムを起動して，本体ボタン１１の上下左右ボタンの，上ボタンを録画操作用に，下ボタンを停止操作用に切替えると共に，本体ボタン１１の上下左右ボタンの，上ボタンが録画と，下ボタンが停止と表示された本体ボタンＯＳＤ２１ｃを表示する。
【００２７】
このようにすることにより，録画，停止の操作を，リモートコントローラ４０無しに，本体ボタン１１のみで実行することが出来る。
【００２８】
図５は，本体ボタン１１の電源ボタンを押しシステムプログラムを起動した後に，本体ボタン１１のメニューボタンを押した場合の，操作時のＯＳＤ２１の表示例を示しており，図２のメニューＯＳＤ２１ａに加えて，リモートコントローラ４０の全操作ボタンを表示したリモートコントローラＯＳＤ２１ｄが表示されている。
【００２９】
最初からリモートコントローラ４０が操作不能である場合に，デジタル放送受信機１０の本体ボタン１１の電源ボタンを押すと，マイクロコンピュータ１３は，図４の場合と同様に，本体ボタン１１の上下左右ボタンの，上ボタンを録画操作用に，下ボタンを停止操作用に切替えると共に，本体ボタンＯＳＤ２１ｃを表示する。この状態で次に，本体ボタン１１のメニューボタンを押すと，マイクロコンピュータ１３は，切替プログラム及び本体ボタン表示プログラムを終了させる。続いて，メニュー表示プログラムを起動して，表示部２０にメニューＯＳＤ２１ａを表示すると共に，リモートコントローラＯＳＤ２１ｄを表示するためのリモートコントローラ表示プログラムを起動して，表示部２０にリモートコントローラＯＳＤ２１ｄを追加して表示する。
【００３０】
この場合，図２で示したようなメニュー上を移動する第１のカーソルとは別に，リモートコントローラＯＳＤ２１ｄ上を移動する第２のカーソルを表示し，第１のカーソルはＯＳＤ２１上のリモートコントローラＯＳＤ２１ｄの上下左右ボタンで移動出来るようにし，第２のカーソルは本体ボタン１１の上下左右ボタンで移動出来るようにする。本体ボタン１１の上下左右ボタンを用いて第２のカーソルを上下左右に移動し，所望する操作ボタン上で決定ボタンを押すことを繰り返して，ＯＳＤ２１上で擬似的にリモートコントローラ４０の操作を行うことを実現する。
【００３１】
このようにすることにより，本体ボタン１１だけでリモートコントローラ４０から可能であるデジタル放送受信機１０の全操作を可能にする。更に，本体ボタン１１の上下左右ボタンの内の１個の移動ボタンによってもＯＳＤ２１のリモートコントローラＯＳＤ２１ｄ上での第２のカーソルの移動が可能であるため，例えば，右ボタン及び決定ボタンのみに限定することにより，ボタン数を削減することが出来る。
【００３２】
なお，図５のような表示がなされている動作状態において，リモートコントローラ４０が操作可能となり，リモコン受光部１２を介して，リモートコントローラ４０のメニューボタンが押されたことを認識すると，マイクロコンピュータ１３は，リモートコントローラ表示プログラムを終了させ，ＯＳＤ２１上のリモートコントローラＯＳＤ２１ｄの表示を消去して，図２の表示状態に戻す。
【００３３】
【発明の効果】
以上述べたように，本発明によれば，リモートコントローラ４０が操作不能状態となっても，リモートコントローラ４０で行うことが出来る操作の全部分或いは所望の部分を可能とすることが出来るという効果がある。又，本体ボタン１１の操作のみでデジタルＡＶ機器全体の操作を可能にすることから，本体ボタン１１を必要最小限に削減することが出来，デジタルＡＶ機器のコストダウンが図れるという効果がある。
【００３４】
【図面の簡単な説明】
【００３５】
【図１】デジタルＡＶ機器１０とそのシステムの構成を示す図である。
【００３６】
【図２】リモートコントローラ４０のメニューボタンを操作した時のＯＳＤ２１の表示例を示す図である。
【００３７】
【図３】通常操作時に本体ボタン１１のメニューボタンを操作した時のＯＳＤ２１の表示例を示す図である。
【００３８】
【図４】本体ボタン１１の電源ボタンを押してシステムプログラムを起動した場合のＯＳＤ２１の表示例を示す図である。
【００３９】
【図５】本体ボタン１１の電源ボタンとメニューボタンを押した場合のＯＳＤ２１の表示例を示す図である。
【００４０】
【符号の説明】
１０  デジタル放送受信機
１１  本体ボタン
１２  リモコン受光部
１３  マイクロコンピュータ
２０  表示装置
２１  オン・スクリーン・ディスプレイＯＳＤ
３０  アンテナ
４０  リモートコントローラ
【図１】
2004207872.tif 000003
【図２】
2004207872.tif 000004
【図３】
2004207872.tif 000005
【図４】
2004207872.tif 000006
【図５】
2004207872.tif 000007